(57)【要約】【課題】情報の記録／再生を行う波長とは異なる波長を所望の焦点位置に結像でき、且つ集光性能が良く、小型のホログラフィック光情報記録再／再生用の対物レンズ及びそれを用いた光ピックアップ装置を提供する。【解決手段】３群以上のレンズを用いることで、情報記録／再生に用いる光束において絞り近傍まで解像度を高めることができる。又、第１レンズ群ＬＧ１の光源側光学面が光源側に凸なので、この面で光束は収斂されるために、当該面が最も有効径の大きな面になり、凹面である場合に比べ光学系が小型になる。又、レンズ群を構成する正レンズと負レンズにアッベ数の異なる硝材を用いることで、異なる波長に対する光束を所望の位置に合焦することが出来、且つ波長が異なることに起因して変化する球面収差をマレシャルの評価基準に比べ小さくすることが出来る。【選択図】  図１
2008077693.tif 000002
【特許請求の範囲】
【請求項１】
ホログラフィを利用して光情報記録媒体に情報の記録及び／又は再生を行う光ピックアップ装置に用いる対物レンズであって、
３群以上から成り、最も光源側の第１レンズ群の光源側光学面が光源側に凸であり、各レンズ群の内少なくとも一つが異なるアッベ数のレンズで構成されていることを特徴とする対物レンズ。
【請求項２】
各群のレンズの内、正レンズのアッベ数の平均値をνｐ、負レンズのアッベ数の平均をνｎとしたとき、（１）式を満たすことを特徴とする請求項１に記載の対物レンズ。
２１．９  ＜  ｜νｐ−νｎ｜    （１）
【請求項３】
各群の屈折パワーが光源側から順に正負正であることを特徴とする請求項１から２のいずれか一項に記載の対物レンズ。
【請求項４】
前記対物レンズの全系の屈折パワーをＰｔ、第２レンズ群の屈折パワーをＰ２としたとき（２）式を満たすことを特徴とする請求項１から３のいずれか一項に記載の対物レンズ。
−２．２  ＜  Ｐ２／Ｐｔ  ＜  ０            （２）
【請求項５】
前記対物レンズの全系の屈折パワーをＰｔ、第２レンズ群の屈折パワーをＰ２としたとき（３）式を満たすことを特徴とする請求項４に記載の対物レンズ。
−２．２  ＜  Ｐ２／Ｐｔ  ＜  −０．２９            （３）
【請求項６】
前記対物レンズの全系の屈折パワーをＰｔ、第２レンズ群の屈折パワーをＰ２としたとき（４）式を満たすことを特徴とする請求項５に記載の対物レンズ。
−２．２  ＜  Ｐ２／Ｐｔ  ＜  −０．３９            （４）
【請求項７】
第１レンズ群がガラス製であり、少なくとも光源側の光学面が球面研磨されていることを特徴とする請求項１から６のいずれか一項に記載の対物レンズ。
【請求項８】
各群がそれぞれ一枚のレンズで構成されていることを特徴とする請求項１から７のいずれか一項に記載の対物レンズ。
【請求項９】
光情報記録媒体の記録層にホログラム像を形成しつつ、光情報記録媒体のガイド層にスポット像を形成可能するために請求項１から請求項８いずれか一項記載の対物レンズを備え、光情報記録媒体の情報を読み取り、若しくは光情報記録媒体に情報を書き込むことを特徴とする光ピックアップ装置。
【発明の詳細な説明】
【技術分野】
【０００１】
本発明は、ホログラフィを利用した光情報記録／再生装置に搭載される光ピックアップ装置用の対物レンズ及びそれを用いた光ピックアップ装置に関する。
【背景技術】
【０００２】
近年、ホログラフィを利用して光情報記録媒体に対し情報の記録／再生を行うホログラム記録／再生装置用の光ピックアップ装置が開発されている。この光ピックアップ装置に搭載される対物レンズとして１群１枚構成で低収差を達成したものが存在する（特許文献１参照）。又、情報の記録／再生を行う波長とは異なり、ホログラム記録媒質の感度が無い波長を用いた非点収差法で、対物レンズと情報記録媒体との間隔を最適にする技術も報告されている（非特許文献１参照）。
【特許文献１】特開２００４−１７７８３９号公報
【非特許文献１】Ａｐｐｌ．Ｏｐｔ．Ｖｏｌ４４，  Ｎｏ．１３，  Ｐ．２５７５，  Ｈｏｒｉｍａｉ  ｅｔ．  ａｌ．
【発明の開示】
【発明が解決しようとする課題】
【０００３】
ここで、非特許文献１の技術によれば、情報の記録／再生とは異なる光束の波長を用いて、フォーカシングやトラッキングを行うことができる。しかるに、このように２種類の波長の光束を用いる場合、対物レンズと情報記録媒体との間隔を変えることなく、異なる波長の光束を所望の位置で集光させる必要があり、且つ波長が異なることに起因して変化する球面収差も適切に補正する必要がある。
【０００４】
しかしながら、特許文献１には、対物レンズと情報記録媒体との間隔を最適にすることについて何ら開示がなく、更に色収差の補正を考慮した対物レンズについても言及がない。又、光学系の大きさについても触れられていない。
【０００５】
そこで本発明は、情報の記録／再生を行う波長とは異なる波長を所望の焦点位置に結像でき、且つ集光性能が良く、小型のホログラフィック光情報記録再／再生用の対物レンズ及びそれを用いた光ピックアップ装置を提供することを目的とする。
【課題を解決するための手段】
【０００６】
上記課題を解決する為、請求項１に記載の対物レンズは、ホログラフィを利用して光情報記録媒体に情報の記録及び／又は再生を行う光ピックアップ装置に用いる対物レンズであって、
３群以上から成り、最も光源側の第１レンズ群の光源側光学面が光源側に凸であり、各レンズ群の内少なくとも一つが異なるアッベ数のレンズで構成されていることを特徴とする。
【０００７】
上記対物レンズによれば、３群以上のレンズを用いることで、情報記録／再生に用いる光束において絞り近傍まで解像度を高めることができる。又、前記第１レンズ群の光源側光学面が光源側に凸なので、この面で光束は収斂されるために、当該面が最も有効径の大きな面になり、凹面である場合に比べ光学系が小型になる。更に、例えばレンズ群を構成する正レンズと負レンズにアッベ数の異なる硝材を用いることで、異なる波長に対する光束を所望の位置に合焦することが出来、且つ、波長が異なることに起因して変化する球面収差をマレシャルの評価基準に比べ小さくすることが出来る。尚、本明細書中、レンズ間距離がゼロを超えているレンズは異なるレンズ群とし、貼り合わせレンズなどは１群とする。
【０００８】
請求項２に記載の発明は、各群のレンズの内、正レンズのアッベ数の平均値をνｐ、負レンズのアッベ数の平均をνｎとしたとき、（１）式を満たすことを特徴とする。
２１．９  ＜  ｜νｐ−νｎ｜    （１）
【０００９】
（１）式を満たすことにより、ホログラム記録媒質と対物レンズの間隔や、ホログラム記録媒質の位置情報検出のための光束を平行光束とすることが出来るとともに、対物レンズの軸外光束に対する結像性能が良くなり、対物レンズをピックアップ装置に組み込む際のレンズティルトマージンが大きくなる。
【００１０】
請求項３に記載の対物レンズは、請求項１又は２に記載の発明において、各群の屈折パワーが光源側から順に正負正であることを特徴とする。
【００１１】
各群の屈折パワーが光源側から順に正負正であると、十分長い作動距離を確保しつつ、光学系全長が長くなりすぎることを防ぐことが可能である。
【００１２】
請求項４に記載の対物レンズは、請求項１〜３のいずれかに記載の発明において、前記対物レンズの全系の屈折パワーをＰｔ、第２レンズ群の屈折パワーをＰ２としたとき（２）式を満たすことを特徴とする。
−２．２  ＜  Ｐ２／Ｐｔ  ＜  ０            （２）
【００１３】
第２レンズ群のパワーが（２）式の上限より小さい場合、偏芯感度を小さく抑えることができ、下限より大きい場合、色収差を十分補正することが出来る。
【００１４】
請求項５に記載の対物レンズは、請求項４に記載の発明において、前記対物レンズの全系の屈折パワーをＰｔ、第２レンズ群の屈折パワーをＰ２としたとき（３）式を満たすことを特徴とする。
−２．２  ＜  Ｐ２／Ｐｔ  ＜  −０．２９            （３）
【００１５】
この場合、第２レンズ群のパワーが（３）式の上限より小さい場合、偏芯感度を小さく抑えることができ、下限より大きい場合、色収差を十分補正することが出来、加えてホログラム記録媒質と対物レンズの間隔（フォーカシング調整）や、ホログラム記録媒質の位置情報検出（トラッキング調整）のための光束を平行光束とするのに好適となる。
【００１６】
請求項６に記載の対物レンズは、請求項５に記載の発明において、前記対物レンズの全系の屈折パワーをＰｔ、第２レンズ群の屈折パワーをＰ２としたとき（４）式を満たすことを特徴とする。
−２．２  ＜  Ｐ２／Ｐｔ  ＜  −０．３９            （４）
【００１７】
この場合、第２レンズ群のパワーが（4）式の上限より小さい場合、偏芯感度を小さく抑えることができ、下限より大きい場合、色収差を十分補正することが出来、加えて対物レンズの軸外光束に対する結像性能が良くなり、対物レンズを光ピックアップ装置に組み込む際のレンズティルトマージンが大きくなる。
【００１８】
請求項７に記載の対物レンズは、請求項１〜６のいずれかに記載の発明において、第１レンズ群がガラス製であり、少なくとも光源側の光学面が球面研磨されていることを特徴とする。
【００１９】
一般に、硝子モールド法や射出成形法などにより製造される非球面レンズは、光学面を研磨して製造される球面研磨硝子レンズに比べて金型成形時における設計値からの局所的な誤差に起因して、その光学面にわずかな歪（面粗さ）が生じている。以上のことから、第１レンズ群がガラス製であり、少なくとも光源側の光学面が球面研磨されていると、より高精度に情報の記録／再生が可能になる。
【００２０】
請求項８に記載の対物レンズは、請求項１〜７のいずれかに記載の発明において、各群がそれぞれ一枚のレンズで構成されていることを特徴とする。この場合、構成レンズ枚数が少ないため製造コストを小さくすることが出来る。
【００２１】
請求項９に記載の光ピックアップ装置は、光情報記録媒体の記録層にホログラム像を形成しつつ、光情報記録媒体のガイド層にスポット像を形成可能するために請求項１から請求項８いずれか一項記載の対物レンズを備え、光情報記録媒体の情報を読み取り、若しくは光情報記録媒体に情報を書き込むことを特徴とするので、光情報記録媒体に対して高精度で安定した記録／再生を行うことが出来る。
【００２２】
本明細書中、「対物レンズ」とは、光ピックアップ装置に光情報記録媒体を装填した状態において、最も光情報記録媒体側の位置で、これと対向すべく配置される集光作用を有するレンズを指すものとする。また、上述のレンズと一体となってアクチュエータにより移動可能な光学素子がある場合には、この光学素子と上述のレンズとから構成されるレンズ群が、本明細書における「光ピックアップ装置用の対物レンズ」となる。
【発明の効果】
【００２３】
本発明によれば、情報の記録／再生を行う波長とは異なる波長を所望の焦点位置に結像でき、且つ集光性能が良く、小型のホログラフィック光情報記録再／再生用の対物レンズ及びそれを用いた光ピックアップ装置を提供することができる。
【発明を実施するための最良の形態】
【００２４】
図１は本発明の一実施形態に係る、ホログラフィを利用して光情報記録媒体に情報の記録及び／又は再生を行う光ピックアップ装置の概略構成図である。この光ピックアップ装置１００は、ホログラム記録再生タイプの装置であり、光情報記録媒体である光ディスクＯＤに対向する集光用の対物レンズ１０と、記録再生用の第１光源（光源波長λ１）である第１レーザ光源３１と、サーボ用の第２光源（光源波長λ２＞λ１）である第２レーザ光源３２と、光ディスクＯＤからの情報光ＩＬを受光する第１光検出器４１と、光ディスクＯＤからのサーボ光ＳＬを受光する第２光検出器４２とを備える。
【００２５】
また、光ピックアップ装置１００は、第１レーザ光源３１からの情報光ＩＬを平行光束にするコリメータレンズ５１と、情報光ＩＬに適当な２次元光分布を与える空間光変調器５３と、情報の記録と再生用とを切り換える可動ミラー５５と、フオーカス及びトラッキング用の２軸アクチュエータ５７とを備える。ここで、第１レーザ光源３１とコリメータレンズ５１との間には、参照光ＲＬを反射によって分岐するハーフミラー６１が配置されており、このハーフミラー６１の反射光路上には、参照光ＲＬを反射して対物レンズ１０の側方から光ディスクＯＤに導く一対のミラー６５，６７が配置されている。
【００２６】
さらに、光ピックアップ装置１００は、サーボ光ＳＬを情報光ＩＬの光路から分岐するダイクロイックミラー７１と、サーボ光ＳＬの光路折り曲げ用のミラー７３と、平行光束を形成するためのコリメータレンズ７５と、サーボ光ＳＬを第２レーザ光源３２側の光路と第２光検出器４２側の光路とに分岐等するハーフミラー７７と、第２光検出器４２側の光路上に配置されて非点収差を形成するシリンドリカルレンズ７９とを備える。
【００２７】
さらに、光ピックアップ装置１００は、図示を省略しているが、第１及び第２レーザ光源３１，３２を適宜動作させる光源駆動回路、第１及び第２光検出器４１，４２を適宜動作させるセンサ駆動回路、２軸アクチュエータ５７を動作させる変位駆動回路等を有している。
【００２８】
図１の光ピックアップ装置１００において、対物レンズ１０は、光源側から順に第１レンズ群ＬＧ１，第２レンズ群ＬＧ２，第３レンズ群ＬＧ３を有しており、これら第１〜第３レンズ群ＬＧ１〜ＬＧ３は、ホルダ１２によって一体化して固定されており、２軸アクチュエータ５７に駆動されて光軸方向とこれに垂直なトラッキング方向とに微小変位する。この対物レンズ１０は、両レーザ光源３１，３２からの各光束を光ディスクＯＤの同じ深さに個別に集光するための集光光学系となっている。
【００２９】
第１レーザ光源３１は、記録再生光として第１波長λ１の光束（具体的には、例えば青紫色の物体光ＯＬや参照光ＲＬ）を発生させるものであり、光ディスクＯＤの表面側に形成された情報記録層ＲＥＬに記録されたホログラムイメージ情報の再生、及び／又は当該情報記録層ＲＥＬに対してホログラムイメージ情報の記録を可能にする。第１レーザ光源３１には、例えば、ＹＡＧレーザの第二高調波や青紫色半導体レーザに外部共振器を用い周波数安定化したものを用いることができる。
【００３０】
第２レーザ光源３２は、第２波長λ２の光束（具体的には、例えば赤色のサーボ光ＳＬ）を発生させるものであり、光ディスクＯＤの奥側に形成されたトラッキング情報面ＴＩＬに記録されたサーボ用ピットの位置情報の検出を可能にし、さらに、フォーカスサーボやトラッキングサーボを可能にする。第２レーザ光源３２には、例えば、赤色半導体レーザ等を用いることができる。
【００３１】
第１光検出器４１は、光ディスクＯＤの情報記録層ＲＥＬから戻って来た情報光ＩＬを検出するためのイメージセンサであり、読み出し光である情報光ＩＬの２次元的な明暗分布を２次元イメージ情報として検出し出力する。この第１光検出器４１には、ＣＣＤイメージセンサやＣＭＯＳイメージセンサ等を用いることができる。
【００３２】
第２光検出器４２は、光ディスクＯＤのトラッキング情報面ＴＩＬで反射されたサーボ光ＳＬを検出するための４分割センサ等であり、サーボ光ＳＬに基づいてフォーカスエラー信号やトラッキングエラー信号を検出し出力する。
【００３３】
以上において、情報の記録／再生に用いる第１レーザ光源３１、第１光検出器４１、コリメータレンズ５１、空間光変調器５３、対物レンズ１０等を第１光学系と呼ぶものとする。また、サーボに用いる第２レーザ光源３２、第２光検出器４２、コリメータレンズ７５、シリンドリカルレンズ７９、対物レンズ１０等を第２光学系と呼ぶものとする。
【００３４】
以下、図１に示す光ピックアップ装置１００の動作について説明する。情報の記録時において、情報記録再生用の第１レーザ光源３１から射出された光束は、コリメータレンズ５１で平行光束にされた後、ハーフミラー６１により物体光ＯＬと参照光ＲＬに分波される。物体光ＯＬは、空間光変調器５３により２次元ページデータに変換され、ミラー７１を通過して対物レンズ１０に入射した後、ビーム径が絞られた平行光束となる。対物レンズ１０から平行光束として射出された物体光ＯＬは、ホログラム記録媒体である情報記録層ＲＥＬ中に入射し、対物レンズ１０の側方から入射した参照光ＲＬとの干渉によってここに干渉縞を記録する。
【００３５】
一方、情報の再生時において、アルミ蒸着型の可動ミラー５５が物体光ＯＬの光路上に配置される。第１レーザ光源３１から射出された光束は、コリメータレンズ５１で平行光束にされた後、ハーフミラー６１により物体光ＯＬと参照光ＲＬに分波される。しかしながら、情報の再生時には、可動ミラー５５が光路上に配置されるため、物体光ＯＬが情報記録層ＲＥＬに形成されたホログラムまで到達することはなく、参照光ＲＬのみが情報記録層ＲＥＬのホログラムに到達してここに記録されていた波面が再生される。情報記録層ＲＥＬで再生された情報光ＩＬは、情報記録層ＲＥＬの裏面に設けられたミラー層で反射され、対物レンズ１０に入射し、ダイクロイックミラー７１を透過し、可動ミラー５５で反射された後、第１光検出器４１に入射する。つまり、第１光検出器４１によって情報記録層ＲＥＬに記録された二次元ページデータが検出される。
【００３６】
以上のような情報の記録／再生時において、対物レンズ１０は、２軸アクチュエータ５７に保持され、フォーカシングとトラッキングとを行う。その際、第２レーザ光源３２から射出されたサーボ光ＳＬは、ハーフミラー７７で反射されコリメータレンズ７５で平行光束にされた後、ミラー７３を経てダイクロイックミラー７１で反射され、対物レンズ１０に入射する。対物レンズ１０で集光された光束は、情報記録層ＲＥＬとその裏面に設けられたミラー層とを透過し、サーボ用ピットの記録されているトラッキング情報面ＴＩＬに集光される。つまり、トラッキング及びフォーカシング用の波長λ２のサーボ光ＳＬは、対物レンズ１０が記録／再生用の波長λ１の物体光ＯＬを情報記録層ＲＥＬに平行光束として入射させている際に、情報記録層ＲＥＬの裏面のミラー層を通過して、トラッキング情報面ＴＩＬ上に合焦する。サーボ用ピットにより変調されて反射したサーボ光ＳＬは、再び対物レンズ１０、ダイクロイックミラー７１、ミラー７３、及びコリメータレンズ７５を経てハーフミラー７７に入射する。ハーフミラー７７を透過したサーボ光ＳＬは、シリンドリカルレンズ７９により非点収差が与えられ、第２光検出器４２上に入射する。この第２光検出器４２上でのスポットの形状変化や位置変化による光量変化を検出することにより、フォーカス検出やトラック検出を行うことができる。これらの検出結果に基づいて、光ヘッドに組み込んだ２軸アクチュエータ５７が、第２レーザ光源３２からのサーボ光ＳＬを光ディスクＯＤのトラッキング情報面ＴＩＬに結像するように対物レンズ１０を光軸方向に移動させるととともに、第２レーザ光源３２から射出されたサーボ光ＳＬをトラッキング情報面ＴＩＬ中の所定トラックに結像するように対物レンズ１０を光軸に垂直な方向に移動させる。これにより、第１レーザ光源３１によって照明された空間光変調器５３からの物体光ＯＬが対物レンズ１０を経て情報記録層ＲＥＬの所定領域に入射し、また、情報記録層ＲＥＬの所定領域からの情報光ＩＬが対物レンズ１０で集められ、第１光検出器４１上に入射する。
【００３７】
なお、情報の再生に際して、例えばトラッキング、フォーカシング、書込み情報の確認等を含む一連のシーケンスが実行されるが、このようなシーケンスは、光ピックアップ装置１００の用途や仕様にあわせて適宜変更することができる。
【００３８】
以下、対物レンズの実施例について説明するが、光ピックアップ装置の仕様は、ホログラム記録／再生に用いる波長λ１は４０８ｎｍ、トラッキング、フォーカシング用に使用する波長λ２は６５０ｎｍである。以下の表中、ｒは近軸曲率半径、ｄは面間隔、ｎ（λ１）はλ１における屈折率、ｎ（λ２）はλ２における屈折率を示すが、これ以降（表のレンズデータ含む）において、１０のべき乗数（例えば、２．５×１０−３）を、Ｅ（例えば、２．５Ｅ―３）を用いて表すものとする。
【００３９】
（実施例１）
図２、３は、図１の光ピックアップ装置で用いることのできる対物レンズの実施例１にかかる断面図であり、図２は情報記録／再生時の青紫色レーザ光（波長λ１）の光路を示し、図３はフォーカシング、トラッキング用の赤色レーザ光（波長λ２）の光路を示す。又、図４は、本実施例におけるホログラム再生時の受光素子上での歪曲収差（ａ）と、像面歪曲（ｂ）を示す図である。図２，３において、対物レンズは、光源側から正の第１レンズ群ＬＧ１，負の第２レンズ群ＬＧ２，正の第３レンズ群ＬＧ３を有しており、最も光源側の第１レンズ群ＬＧ１の光源側光学面が光源側に凸である。
【００４０】
図２において、絞りＳＴＯの位置に空間光変調器を配置するか、あるいはこの位置に空間光変調器の像が出来る様にリレーレンズを配置する。空間光変調器のセルで回折される光束の回折角はセルの大きさに依存し、本実施例では回折角を０．８６°とした。空間光変調器から入射した波長λ１の光束は、対物レンズを透過した後平行光束となり、参照光との干渉縞をホログラム記録媒体ＯＤに記録する。
【００４１】
一方、トラッキング、フォーカシング用の波長λ２の光束は、ダイクロイックミラーで光路を波長λ１の光束に合わせた後、絞りＳＴＯで光束が制限された後、対物レンズで集光された光束は、ホログラム記録層を透過し、サーボ用ピットの記録されている層に合焦するようになっている。
【００４２】
表１において、（ａ）はレンズデータ、（ｂ）は非球面データ、（ｃ）は絞りＳＴＯの位置で１０分割した像高での第１光学系を通過した波長λ１の光束における波面収差データ、（ｄ）は第２光学系を通過した波長λ２の光束における波面収差データである。波長λ１の光束を対物レンズに通過させる際、最大物体高は−０．６１ｍｍ、物体側ＮＡは０．０１５、焦点距離は１ｍｍである。一方、波長λ２の光束を対物レンズに通過させる際、絞り径はφ１．２３ｍｍ、像側ＮＡは０．６である。本実施例において、Ｐ２／Ｐｔ＝−０．９３３であり、｜νｐ−νｎ｜＝３１．６５である。
【００４３】
【表１】
2008077693.tif 000003
【００４４】
各面の円錐定数κ、非球面係数Ａ２ｉを示す表１の非球面データから明らかであるが、実施例１では第６面及び第７面のみが非球面となっている。ここで、非球面の形状は、
ｘ  ：光軸からの高さがｈの非球面上の点の非球面頂点の接平面からの距離
ｈ  ：光軸からの高さ
ｃ  ：非球面頂点の曲率（＝１／ｒ）
κ  ：円錐定数
Ａ２ｉ：第２ｉ次（ｉは２以上の自然数）の非球面係数として、以下の数１式
で与えられる。
【００４５】
【数１】
2008077693.tif 000004
【００４６】
（実施例２）
図５、６は、図１の光ピックアップ装置で用いることのできる対物レンズの実施例２にかかる断面図であり、図５は情報記録／再生時の青紫色レーザ光（波長λ１）の光路を示し、図６はフォーカシング、トラッキング用の赤色レーザ光（波長λ２）の光路を示す。又、図７は、本実施例におけるホログラム再生時の受光素子上での歪曲収差（ａ）と、像面歪曲（ｂ）を示す図である。図５，６において、対物レンズは、光源側から正の第１レンズ群ＬＧ１，負の第２レンズ群ＬＧ２，正の第３レンズ群ＬＧ３を有しており、最も光源側の第１レンズ群ＬＧ１の光源側光学面が光源側に凸である。
【００４７】
図５において、絞りＳＴＯの位置に空間光変調器を配置するか、あるいはこの位置に空間光変調器の像が出来る様にリレーレンズを配置する。空間光変調器のセルで回折される光束の回折角はセルの大きさに依存し、本実施例では回折角を０．８６°とした。空間光変調器から入射した波長λ１の光束は、対物レンズを透過した後平行光束となり、参照光との干渉縞をホログラム記録媒体ＯＤに記録する。
【００４８】
一方、トラッキング、フォーカシング用の波長λ２の光束は、ダイクロイックミラーで光路を波長λ１の光束に合わせた後、絞りＳＴＯで光束が制限された後、対物レンズで集光された光束は、ホログラム記録層を透過し、サーボ用ピットの記録されている層に合焦するようになっている。
【００４９】
表２において、（ａ）はレンズデータ、（ｂ）は非球面データ、（ｃ）は絞りＳＴＯの位置で１０分割した像高での第１光学系を通過した波長λ１の光束における波面収差データ、（ｄ）は第２光学系を通過した波長λ２の光束における波面収差データである。波長λ１の光束を対物レンズに通過させる際、最大物体高は−０．６１ｍｍ、物体側ＮＡは０．０１５、焦点距離は１ｍｍである。一方、波長λ２の光束を対物レンズに通過させる際、絞り径はφ１．２３ｍｍ、像側ＮＡは０．６である。本実施例において、Ｐ２／Ｐｔ＝−０．４９２であり、｜νｐ−νｎ｜＝１．５０である。
【００５０】
【表２】
2008077693.tif 000005
【００５１】
各面の円錐定数κ、非球面係数Ａ２ｉを示す表２の非球面データから明らかであるが、実施例２では第２面、第３面、第６面及び第７面のみが非球面となっている。
【００５２】
（実施例３）
図８、９は、図１の光ピックアップ装置で用いることのできる対物レンズの実施例３にかかる断面図であり、図８は情報記録／再生時の青紫色レーザ光（波長λ１）の光路を示し、図９はフォーカシング、トラッキング用の赤色レーザ光（波長λ２）の光路を示す。又、図１０は、本実施例におけるホログラム再生時の受光素子上での歪曲収差（ａ）と、像面歪曲（ｂ）を示す図である。図８，９において、対物レンズは、光源側から正の第１レンズ群ＬＧ１，負の第２レンズ群ＬＧ２，正の第３レンズ群ＬＧ３を有しており、最も光源側の第１レンズ群ＬＧ１の光源側光学面が光源側に凸である。
【００５３】
図８において、絞りＳＴＯの位置に空間光変調器を配置するか、あるいはこの位置に空間光変調器の像が出来る様にリレーレンズを配置する。空間光変調器のセルで回折される光束の回折角はセルの大きさに依存し、本実施例では回折角を０．８６°とした。空間光変調器から入射した波長λ１の光束は、対物レンズを透過した後平行光束となり、参照光との干渉縞をホログラム記録媒体ＯＤに記録する。
【００５４】
一方、トラッキング、フォーカシング用の波長λ２の光束は、ダイクロイックミラーで光路を波長λ１の光束に合わせた後、絞りＳＴＯで光束が制限された後、対物レンズで集光された光束は、ホログラム記録層を透過し、サーボ用ピットの記録されている層に合焦するようになっている。
【００５５】
表３において、（ａ）はレンズデータ、（ｂ）は非球面データ、（ｃ）は絞りＳＴＯの位置で１０分割した像高での第１光学系を通過した波長λ１の光束における波面収差データ、（ｄ）は第２光学系を通過した波長λ２の光束における波面収差データである。波長λ１の光束を対物レンズに通過させる際、最大物体高は−０．６１ｍｍ、物体側ＮＡは０．０１５、焦点距離は１ｍｍである。一方、波長λ２の光束を対物レンズに通過させる際、絞り径はφ１．２３ｍｍ、像側ＮＡは０．６である。本実施例において、Ｐ２／Ｐｔ＝−２．１１０であり、｜νｐ−νｎ｜＝２１．９５である。
【００５６】
【表３】
2008077693.tif 000006
【００５７】
各面の円錐定数κ、非球面係数Ａ２ｉを示す表３の非球面データから明らかであるが、実施例３では第２面〜第７面全てが非球面となっている。
【００５８】
（実施例４）
図１１，１２は、図１の光ピックアップ装置で用いることのできる対物レンズの実施例４にかかる断面図であり、図１１は情報記録／再生時の青紫色レーザ光（波長λ１）の光路を示し、図１２はフォーカシング、トラッキング用の赤色レーザ光（波長λ２）の光路を示す。又、図１３は、本実施例におけるホログラム再生時の受光素子上での歪曲収差（ａ）と、像面歪曲（ｂ）を示す図である。図１１，１２において、対物レンズは、光源側から正の第１レンズ群ＬＧ１，負の第２レンズ群ＬＧ２，正の第３レンズ群ＬＧ３を有しており、最も光源側の第１レンズ群ＬＧ１の光源側光学面が光源側に凸である。
【００５９】
図１１において、絞りＳＴＯの位置に空間光変調器を配置するか、あるいはこの位置に空間光変調器の像が出来る様にリレーレンズを配置する。空間光変調器のセルで回折される光束の回折角はセルの大きさに依存し、本実施例では回折角を０．８６°とした。空間光変調器から入射した波長λ１の光束は、対物レンズを透過した後平行光束となり、参照光との干渉縞をホログラム記録媒体ＯＤに記録する。
【００６０】
一方、トラッキング、フォーカシング用の波長λ２の光束は、ダイクロイックミラーで光路を波長λ１の光束に合わせた後、絞りＳＴＯで光束が制限された後、対物レンズで集光された光束は、ホログラム記録層を透過し、サーボ用ピットの記録されている層に合焦するようになっている。
【００６１】
表４において、（ａ）はレンズデータ、（ｂ）は非球面データ、（ｃ）は絞りＳＴＯの位置で１０分割した像高での第１光学系を通過した波長λ１の光束における波面収差データ、（ｄ）は第２光学系を通過した波長λ２の光束における波面収差データである。波長λ１の光束を対物レンズに通過させる際、最大物体高は−０．６１ｍｍ、物体側ＮＡは０．０１５、焦点距離は１ｍｍである。一方、波長λ２の光束を対物レンズに通過させる際、絞り径はφ１．２３ｍｍ、像側ＮＡは０．６である。本実施例において、Ｐ２／Ｐｔ＝−２．０２５であり、｜νｐ−νｎ｜＝２５．７５である。
【００６２】
【表４】
2008077693.tif 000007
【００６３】
各面の円錐定数κ、非球面係数Ａ２ｉを示す表４の非球面データから明らかであるが、実施例４では第６面及び第７面のみが非球面となっている。
【００６４】
（実施例５）
図１４、１５は、図１の光ピックアップ装置で用いることのできる対物レンズの実施例５にかかる断面図であり、図１４は情報記録／再生時の青紫色レーザ光（波長λ１）の光路を示し、図１５はフォーカシング、トラッキング用の赤色レーザ光（波長λ２）の光路を示す。又、図１６は、本実施例におけるホログラム再生時の受光素子上での歪曲収差（ａ）と、像面歪曲（ｂ）を示す図である。図１４，１５において、対物レンズは、光源側から正の第１レンズ群ＬＧ１，負の第２レンズ群ＬＧ２，正の第３レンズ群ＬＧ３を有しており、最も光源側の第１レンズ群ＬＧ１の光源側光学面が光源側に凸である。
【００６５】
図１４において、絞りＳＴＯの位置に空間光変調器を配置するか、あるいはこの位置に空間光変調器の像が出来る様にリレーレンズを配置する。空間光変調器のセルで回折される光束の回折角はセルの大きさに依存し、本実施例では回折角を０．８６°とした。空間光変調器から入射した波長λ１の光束は、対物レンズを透過した後平行光束となり、参照光との干渉縞をホログラム記録媒体ＯＤに記録する。
【００６６】
一方、トラッキング、フォーカシング用の波長λ２の光束は、ダイクロイックミラーで光路を波長λ１の光束に合わせた後、絞りＳＴＯで光束が制限された後、対物レンズで集光された光束は、ホログラム記録層を透過し、サーボ用ピットの記録されている層に合焦するようになっている。
【００６７】
表５において、（ａ）はレンズデータ、（ｂ）は非球面データ、（ｃ）は絞りＳＴＯの位置で１０分割した像高での第１光学系を通過した波長λ１の光束における波面収差データ、（ｄ）は第２光学系を通過した波長λ２の光束における波面収差データである。波長λ１の光束を対物レンズに通過させる際、最大物体高は−０．６１ｍｍ、物体側ＮＡは０．０１５、焦点距離は１ｍｍである。一方、波長λ２の光束を対物レンズに通過させる際、絞り径はφ１．２３ｍｍ、像側ＮＡは０．６である。本実施例において、Ｐ２／Ｐｔ＝−０．０１６であり、｜νｐ−νｎ｜＝１．５０である。
【００６８】
【表５】
2008077693.tif 000008
【００６９】
各面の円錐定数κ、非球面係数Ａ２ｉを示す表２の非球面データから明らかであるが、実施例５では第２面、第３面、第６面及び第７面のみが非球面となっている。
【００７０】
（実施例６）
図１７、１８は、図１の光ピックアップ装置で用いることのできる対物レンズの実施例６にかかる断面図であり、図１７は情報記録／再生時の青紫色レーザ光（波長λ１）の光路を示し、図１８はフォーカシング、トラッキング用の赤色レーザ光（波長λ２）の光路を示す。又、図１９は、本実施例におけるホログラム再生時の受光素子上での歪曲収差（ａ）と、像面歪曲（ｂ）を示す図である。図１７，１８において、対物レンズは、光源側から正の第１レンズ群ＬＧ１，負の第２レンズ群ＬＧ２，正の第３レンズ群ＬＧ３を有しており、最も光源側の第１レンズ群ＬＧ１の光源側光学面が光源側に凸である。
【００７１】
図１７において、絞りＳＴＯの位置に空間光変調器を配置するか、あるいはこの位置に空間光変調器の像が出来る様にリレーレンズを配置する。空間光変調器のセルで回折される光束の回折角はセルの大きさに依存し、本実施例では回折角を０．８６°とした。空間光変調器から入射した波長λ１の光束は、対物レンズを透過した後平行光束となり、参照光との干渉縞をホログラム記録媒体ＯＤに記録する。
【００７２】
一方、トラッキング、フォーカシング用の波長λ２の光束は、ダイクロイックミラーで光路を波長λ１の光束に合わせた後、絞りＳＴＯで光束が制限された後、対物レンズで集光された光束は、ホログラム記録層を透過し、サーボ用ピットの記録されている層に合焦するようになっている。
【００７３】
表６において、（ａ）はレンズデータ、（ｂ）は非球面データ、（ｃ）は絞りＳＴＯの位置で１０分割した像高での第１光学系を通過した波長λ１の光束における波面収差データ、（ｄ）は第２光学系を通過した波長λ２の光束における波面収差データである。波長λ１の光束を対物レンズに通過させる際、最大物体高は−０．６１ｍｍ、物体側ＮＡは０．０１５、焦点距離は１ｍｍである。一方、波長λ２の光束を対物レンズに通過させる際、絞り径はφ１．２３ｍｍ、像側ＮＡは０．６である。本実施例において、Ｐ２／Ｐｔ＝−０．２９４であり、｜νｐ−νｎ｜＝３５．９０である。
【００７４】
【表６】
2008077693.tif 000009
【００７５】
各面の円錐定数κ、非球面係数Ａ２ｉを示す表６の非球面データから明らかであるが、実施例６では第３面、第６面及び第７面のみが非球面となっている。
【００７６】
（実施例７）
図２０，２１は、図１の光ピックアップ装置で用いることのできる対物レンズの実施例７にかかる断面図であり、図２０は情報記録／再生時の青紫色レーザ光（波長λ１）の光路を示し、図２１はフォーカシング、トラッキング用の赤色レーザ光（波長λ２）の光路を示す。又、図２２は、本実施例におけるホログラム再生時の受光素子上での歪曲収差（ａ）と、像面歪曲（ｂ）を示す図である。図２０，２１において、対物レンズは、光源側から正の第１レンズ群ＬＧ１，負の第２レンズ群ＬＧ２，正の第３レンズ群ＬＧ３を有しており、最も光源側の第１レンズ群ＬＧ１の光源側光学面が光源側に凸である。
【００７７】
図２０において、絞りＳＴＯの位置に空間光変調器を配置するか、あるいはこの位置に空間光変調器の像が出来る様にリレーレンズを配置する。空間光変調器のセルで回折される光束の回折角はセルの大きさに依存し、本実施例では回折角を０．８６°とした。空間光変調器から入射した波長λ１の光束は、対物レンズを透過した後平行光束となり、参照光との干渉縞をホログラム記録媒体ＯＤに記録する。
【００７８】
一方、トラッキング、フォーカシング用の波長λ２の光束は、ダイクロイックミラーで光路を波長λ１の光束に合わせた後、絞りＳＴＯで光束が制限された後、対物レンズで集光された光束は、ホログラム記録層を透過し、サーボ用ピットの記録されている層に合焦するようになっている。
【００７９】
表７において、（ａ）はレンズデータ、（ｂ）は非球面データ、（ｃ）は絞りＳＴＯの位置で１０分割した像高での第１光学系を通過した波長λ１の光束における波面収差データ、（ｄ）は第２光学系を通過した波長λ２の光束における波面収差データである。波長λ１の光束を対物レンズに通過させる際、最大物体高は−０．６１ｍｍ、物体側ＮＡは０．０１５、焦点距離は１ｍｍである。一方、波長λ２の光束を対物レンズに通過させる際、絞り径はφ１．２３ｍｍ、像側ＮＡは０．６である。本実施例において、Ｐ２／Ｐｔ＝−０．３９０であり、｜νｐ−νｎ｜＝３５．９０である。
【００８０】
【表７】
2008077693.tif 000010
【００８１】
各面の円錐定数κ、非球面係数Ａ２ｉを示す表７の非球面データから明らかであるが、実施例７では第３面、第６面及び第７面のみが非球面となっている。
【００８２】
（実施例８）
図２３、２４は、図１の光ピックアップ装置で用いることのできる対物レンズの実施例８にかかる断面図であり、図２３は情報記録／再生時の青紫色レーザ光（波長λ１）の光路を示し、図２４はフォーカシング、トラッキング用の赤色レーザ光（波長λ２）の光路を示す。又、図２５は、本実施例におけるホログラム再生時の受光素子上での歪曲収差（ａ）と、像面歪曲（ｂ）を示す図である。図２３，２４において、対物レンズは、光源側から正の第１レンズ群ＬＧ１，負の第２レンズ群ＬＧ２，正の第３レンズ群ＬＧ３を有しており、最も光源側の第１レンズ群ＬＧ１の光源側光学面が光源側に凸である。
【００８３】
図２３において、絞りＳＴＯの位置に空間光変調器を配置するか、あるいはこの位置に空間光変調器の像が出来る様にリレーレンズを配置する。空間光変調器のセルで回折される光束の回折角はセルの大きさに依存し、本実施例では回折角を０．８６°とした。空間光変調器から入射した波長λ１の光束は、対物レンズを透過した後平行光束となり、参照光との干渉縞をホログラム記録媒体ＯＤに記録する。
【００８４】
一方、トラッキング、フォーカシング用の波長λ２の光束は、ダイクロイックミラーで光路を波長λ１の光束に合わせた後、絞りＳＴＯで光束が制限された後、対物レンズで集光された光束は、ホログラム記録層を透過し、サーボ用ピットの記録されている層に合焦するようになっている。
【００８５】
表８において、（ａ）はレンズデータ、（ｂ）は非球面データ、（ｃ）は絞りＳＴＯの位置で１０分割した像高での第１光学系を通過した波長λ１の光束における波面収差データ、（ｄ）は第２光学系を通過した波長λ２の光束における波面収差データである。波長λ１の光束を対物レンズに通過させる際、最大物体高は−０．６１ｍｍ、物体側ＮＡは０．０１５、焦点距離は１ｍｍである。一方、波長λ２の光束を対物レンズに通過させる際、絞り径はφ１．２３ｍｍ、像側ＮＡは０．６である。本実施例において、Ｐ２／Ｐｔ＝−０．８０７であり、｜νｐ−νｎ｜＝３１．６５である。
【００８６】
【表８】
2008077693.tif 000011
【００８７】
各面の円錐定数κ、非球面係数Ａ２ｉを示す表８の非球面データから明らかであるが、実施例８では第６面及び第７面のみが非球面となっている。
【００８８】
（実施例９）
図２６，２７は、図１の光ピックアップ装置で用いることのできる対物レンズの実施例９にかかる断面図であり、図２６は情報記録／再生時の青紫色レーザ光（波長λ１）の光路を示し、図２７はフォーカシング、トラッキング用の赤色レーザ光（波長λ２）の光路を示す。又、図２８は、本実施例におけるホログラム再生時の受光素子上での歪曲収差（ａ）と、像面歪曲（ｂ）を示す図である。図２６，２７において、対物レンズは、光源側から正の第１レンズ群ＬＧ１，負の第２レンズ群ＬＧ２，正の第３レンズ群ＬＧ３を有しており、最も光源側の第１レンズ群ＬＧ１の光源側光学面が光源側に凸である。
【００８９】
図２６において、絞りＳＴＯの位置に空間光変調器を配置するか、あるいはこの位置に空間光変調器の像が出来る様にリレーレンズを配置する。空間光変調器のセルで回折される光束の回折角はセルの大きさに依存し、本実施例では回折角を０．８６°とした。空間光変調器から入射した波長λ１の光束は、対物レンズを透過した後平行光束となり、参照光との干渉縞をホログラム記録媒体ＯＤに記録する。
【００９０】
一方、トラッキング、フォーカシング用の波長λ２の光束は、ダイクロイックミラーで光路を波長λ１の光束に合わせた後、絞りＳＴＯで光束が制限された後、対物レンズで集光された光束は、ホログラム記録層を透過し、サーボ用ピットの記録されている層に合焦するようになっている。
【００９１】
表９において、（ａ）はレンズデータ、（ｂ）は非球面データ、（ｃ）は絞りＳＴＯの位置で１０分割した像高での第１光学系を通過した波長λ１の光束における波面収差データ、（ｄ）は第２光学系を通過した波長λ２の光束における波面収差データである。波長λ１の光束を対物レンズに通過させる際、最大物体高は−０．６１ｍｍ、物体側ＮＡは０．０１５、焦点距離は１ｍｍである。一方、波長λ２の光束を対物レンズに通過させる際、絞り径はφ１．２３ｍｍ、像側ＮＡは０．６である。本実施例において、Ｐ２／Ｐｔ＝−０．５４７であり、｜νｐ−νｎ｜＝３１．６５である。
【００９２】
【表９】
2008077693.tif 000012
【００９３】
各面の円錐定数κ、非球面係数Ａ２ｉを示す表９の非球面データから明らかであるが、実施例９では第６面及び第７面のみが非球面となっている。
【００９４】
（実施例１０）
図２９，３０は、図１の光ピックアップ装置で用いることのできる対物レンズの実施例１０にかかる断面図であり、図２９は情報記録／再生時の青紫色レーザ光（波長λ１）の光路を示し、図３０はフォーカシング、トラッキング用の赤色レーザ光（波長λ２）の光路を示す。又、図３１は、本実施例におけるホログラム再生時の受光素子上での歪曲収差（ａ）と、像面歪曲（ｂ）を示す図である。図２９，３０において、対物レンズは、光源側から正の第１レンズ群ＬＧ１，負の第２レンズ群ＬＧ２，正の第３レンズ群ＬＧ３を有しており、最も光源側の第１レンズ群ＬＧ１の光源側光学面が光源側に凸である。
【００９５】
図２９において、絞りＳＴＯの位置に空間光変調器を配置するか、あるいはこの位置に空間光変調器の像が出来る様にリレーレンズを配置する。空間光変調器のセルで回折される光束の回折角はセルの大きさに依存し、本実施例では回折角を０．８６°とした。空間光変調器から入射した波長λ１の光束は、対物レンズを透過した後平行光束となり、参照光との干渉縞をホログラム記録媒体ＯＤに記録する。
【００９６】
一方、トラッキング、フォーカシング用の波長λ２の光束は、ダイクロイックミラーで光路を波長λ１の光束に合わせた後、絞りＳＴＯで光束が制限された後、対物レンズで集光された光束は、ホログラム記録層を透過し、サーボ用ピットの記録されている層に合焦するようになっている。
【００９７】
表１０において、（ａ）はレンズデータ、（ｂ）は非球面データ、（ｃ）は絞りＳＴＯの位置で１０分割した像高での第１光学系を通過した波長λ１の光束における波面収差データ、（ｄ）は第２光学系を通過した波長λ２の光束における波面収差データである。波長λ１の光束を対物レンズに通過させる際、最大物体高は−０．６１ｍｍ、物体側ＮＡは０．０１５、焦点距離は１ｍｍである。一方、波長λ２の光束を対物レンズに通過させる際、絞り径はφ１．２３ｍｍ、像側ＮＡは０．６である。本実施例において、Ｐ２／Ｐｔ＝−１．１７９であり、｜νｐ−νｎ｜＝３１．１５である。
【００９８】
【表１０】
2008077693.tif 000013
【００９９】
各面の円錐定数κ、非球面係数Ａ２ｉを示す表１０の非球面データから明らかであるが、実施例１０では第２面、第３面、第６面及び第７面のみが非球面となっている。
【０１００】
（実施例１１）
図３２，３３は、図１の光ピックアップ装置で用いることのできる対物レンズの実施例１１にかかる断面図であり、図３２は情報記録／再生時の青紫色レーザ光（波長λ１）の光路を示し、図３３はフォーカシング、トラッキング用の赤色レーザ光（波長λ２）の光路を示す。又、図３４は、本実施例におけるホログラム再生時の受光素子上での歪曲収差（ａ）と、像面歪曲（ｂ）を示す図である。図３２，３３において、対物レンズは、光源側から正の第１レンズ群ＬＧ１，負の第２レンズ群ＬＧ２，正の第３レンズ群ＬＧ３を有しており、最も光源側の第１レンズ群ＬＧ１の光源側光学面が光源側に凸である。
【０１０１】
図３２において、絞りＳＴＯの位置に空間光変調器を配置するか、あるいはこの位置に空間光変調器の像が出来る様にリレーレンズを配置する。空間光変調器のセルで回折される光束の回折角はセルの大きさに依存し、本実施例では回折角を０．８６°とした。空間光変調器から入射した波長λ１の光束は、対物レンズを透過した後平行光束となり、参照光との干渉縞をホログラム記録媒体ＯＤに記録する。
【０１０２】
一方、トラッキング、フォーカシング用の波長λ２の光束は、ダイクロイックミラーで光路を波長λ１の光束に合わせた後、絞りＳＴＯで光束が制限された後、対物レンズで集光された光束は、ホログラム記録層を透過し、サーボ用ピットの記録されている層に合焦するようになっている。
【０１０３】
表１１において、（ａ）はレンズデータ、（ｂ）は非球面データ、（ｃ）は絞りＳＴＯの位置で１０分割した像高での第１光学系を通過した波長λ１の光束における波面収差データ、（ｄ）は第２光学系を通過した波長λ２の光束における波面収差データである。波長λ１の光束を対物レンズに通過させる際、最大物体高は−０．６１ｍｍ、物体側ＮＡは０．０１５、焦点距離は１ｍｍである。一方、波長λ２の光束を対物レンズに通過させる際、絞り径はφ１．２３ｍｍ、像側ＮＡは０．６である。本実施例において、Ｐ２／Ｐｔ＝−１．２２５であり、｜νｐ−νｎ｜＝３１．６５である。
【０１０４】
【表１１】
2008077693.tif 000014
【０１０５】
各面の円錐定数κ、非球面係数Ａ２ｉを示す表１１の非球面データから明らかであるが、実施例１１では第６面及び第７面のみが非球面となっている。
【０１０６】
（実施例１２）
図３５，３６は、図１の光ピックアップ装置で用いることのできる対物レンズの実施例１２にかかる断面図であり、図３５は情報記録／再生時の青紫色レーザ光（波長λ１）の光路を示し、図３６はフォーカシング、トラッキング用の赤色レーザ光（波長λ２）の光路を示す。又、図３７は、本実施例におけるホログラム再生時の受光素子上での歪曲収差（ａ）と、像面歪曲（ｂ）を示す図である。図３５，３６において、対物レンズは、光源側から正の第１レンズ群ＬＧ１，負の第２レンズ群ＬＧ２，正の第３レンズ群ＬＧ３を有しており、最も光源側の第１レンズ群ＬＧ１の光源側光学面が光源側に凸である。
【０１０７】
図３５において、絞りＳＴＯの位置に空間光変調器を配置するか、あるいはこの位置に空間光変調器の像が出来る様にリレーレンズを配置する。空間光変調器のセルで回折される光束の回折角はセルの大きさに依存し、本実施例では回折角を０．８６°とした。空間光変調器から入射した波長λ１の光束は、対物レンズを透過した後平行光束となり、参照光との干渉縞をホログラム記録媒体ＯＤに記録する。
【０１０８】
一方、トラッキング、フォーカシング用の波長λ２の光束は、ダイクロイックミラーで光路を波長λ１の光束に合わせた後、絞りＳＴＯで光束が制限された後、対物レンズで集光された光束は、ホログラム記録層を透過し、サーボ用ピットの記録されている層に合焦するようになっている。
【０１０９】
表１２において、（ａ）はレンズデータ、（ｂ）は非球面データ、（ｃ）は絞りＳＴＯの位置で１０分割した像高での第１光学系を通過した波長λ１の光束における波面収差データ、（ｄ）は第２光学系を通過した波長λ２の光束における波面収差データである。波長λ１の光束を対物レンズに通過させる際、最大物体高は−０．６１ｍｍ、物体側ＮＡは０．０１５、焦点距離は１ｍｍである。一方、波長λ２の光束を対物レンズに通過させる際、絞り径はφ１．２３ｍｍ、像側ＮＡは０．６である。本実施例において、Ｐ２／Ｐｔ＝−０．９２３であり、｜νｐ−νｎ｜＝３１．６５である。
【０１１０】
【表１２】
2008077693.tif 000015
【０１１１】
各面の円錐定数κ、非球面係数Ａ２ｉを示す表１２の非球面データから明らかであるが、実施例１２では第２面〜第７面全てが非球面となっている。
【０１１２】
（実施例１３）
図３８、３９は、図１の光ピックアップ装置で用いることのできる対物レンズの実施例１３にかかる断面図であり、図３８は情報記録／再生時の青紫色レーザ光（波長λ１）の光路を示し、図３９はフォーカシング、トラッキング用の赤色レーザ光（波長λ２）の光路を示す。又、図４０は、本実施例におけるホログラム再生時の受光素子上での歪曲収差（ａ）と、像面歪曲（ｂ）を示す図である。図３８，３９において、対物レンズは、光源側から正の第１レンズ群ＬＧ１，負の第２レンズ群ＬＧ２，正の第３レンズ群ＬＧ３を有しており、最も光源側の第１レンズ群ＬＧ１の光源側光学面が光源側に凸である。
【０１１３】
図３８において、絞りＳＴＯの位置に空間光変調器を配置するか、あるいはこの位置に空間光変調器の像が出来る様にリレーレンズを配置する。空間光変調器のセルで回折される光束の回折角はセルの大きさに依存し、本実施例では回折角を０．８６°とした。空間光変調器から入射した波長λ１の光束は、対物レンズを透過した後平行光束となり、参照光との干渉縞をホログラム記録媒体ＯＤに記録する。
【０１１４】
一方、トラッキング、フォーカシング用の波長λ２の光束は、ダイクロイックミラーで光路を波長λ１の光束に合わせた後、絞りＳＴＯで光束が制限された後、対物レンズで集光された光束は、ホログラム記録層を透過し、サーボ用ピットの記録されている層に合焦するようになっている。
【０１１５】
表１３において、（ａ）はレンズデータ、（ｂ）は非球面データ、（ｃ）は絞りＳＴＯの位置で１０分割した像高での第１光学系を通過した波長λ１の光束における波面収差データ、（ｄ）は第２光学系を通過した波長λ２の光束における波面収差データである。波長λ１の光束を対物レンズに通過させる際、最大物体高は−０．６１ｍｍ、物体側ＮＡは０．０１５、焦点距離は１ｍｍである。一方、波長λ２の光束を対物レンズに通過させる際、絞り径はφ１．２３ｍｍ、像側ＮＡは０．６である。本実施例において、Ｐ２／Ｐｔ＝−０．６４８であり、｜νｐ−νｎ｜＝３１．６５である。
【０１１６】
【表１３】
2008077693.tif 000016
【０１１７】
各面の円錐定数κ、非球面係数Ａ２ｉを示す表１３の非球面データから明らかであるが、実施例１３では第６面及び第７面のみが非球面となっている。
【０１１８】
（実施例１４）
図４１，４２は、図１の光ピックアップ装置で用いることのできる対物レンズの実施例１４にかかる断面図であり、図４１は情報記録／再生時の青紫色レーザ光（波長λ１）の光路を示し、図４２はフォーカシング、トラッキング用の赤色レーザ光（波長λ２）の光路を示す。又、図４３は、本実施例におけるホログラム再生時の受光素子上での歪曲収差（ａ）と、像面歪曲（ｂ）を示す図である。図４１，４２において、対物レンズは、光源側から正の第１レンズ群ＬＧ１，負の第２レンズ群ＬＧ２，正の第３レンズ群ＬＧ３を有しており、最も光源側の第１レンズ群ＬＧ１の光源側光学面が光源側に凸である。
【０１１９】
図４１において、絞りＳＴＯの位置に空間光変調器を配置するか、あるいはこの位置に空間光変調器の像が出来る様にリレーレンズを配置する。空間光変調器のセルで回折される光束の回折角はセルの大きさに依存し、本実施例では回折角を０．８６°とした。空間光変調器から入射した波長λ１の光束は、対物レンズを透過した後平行光束となり、参照光との干渉縞をホログラム記録媒体ＯＤに記録する。
【０１２０】
一方、トラッキング、フォーカシング用の波長λ２の光束は、ダイクロイックミラーで光路を波長λ１の光束に合わせた後、絞りＳＴＯで光束が制限された後、対物レンズで集光された光束は、ホログラム記録層を透過し、サーボ用ピットの記録されている層に合焦するようになっている。
【０１２１】
表１４において、（ａ）はレンズデータ、（ｂ）は非球面データ、（ｃ）は絞りＳＴＯの位置で１０分割した像高での第１光学系を通過した波長λ１の光束における波面収差データ、（ｄ）は第２光学系を通過した波長λ２の光束における波面収差データである。波長λ１の光束を対物レンズに通過させる際、最大物体高は−０．６１ｍｍ、物体側ＮＡは０．０１５、焦点距離は１ｍｍである。一方、波長λ２の光束を対物レンズに通過させる際、絞り径はφ１．２３ｍｍ、像側ＮＡは０．６である。本実施例において、Ｐ２／Ｐｔ＝−０．６５７であり、｜νｐ−νｎ｜＝３１．６５である。
【０１２２】
【表１４】
2008077693.tif 000017
【０１２３】
各面の円錐定数κ、非球面係数Ａ２ｉを示す表１４の非球面データから明らかであるが、実施例１４では第６面及び第７面のみが非球面となっている。
【０１２４】
（実施例１５）
図４４，４５は、図１の光ピックアップ装置で用いることのできる対物レンズの実施例１５にかかる断面図であり、図４４は情報記録／再生時の青紫色レーザ光（波長λ１）の光路を示し、図４５はフォーカシング、トラッキング用の赤色レーザ光（波長λ２）の光路を示す。又、図４６は、本実施例におけるホログラム再生時の受光素子上での歪曲収差（ａ）と、像面歪曲（ｂ）を示す図である。図４４，４５において、対物レンズは、光源側から正の第１レンズ群ＬＧ１，負の第２レンズ群ＬＧ２，正の第３レンズ群ＬＧ３を有しており、最も光源側の第１レンズ群ＬＧ１の光源側光学面が光源側に凸である。
【０１２５】
図４４において、絞りＳＴＯの位置に空間光変調器を配置するか、あるいはこの位置に空間光変調器の像が出来る様にリレーレンズを配置する。空間光変調器のセルで回折される光束の回折角はセルの大きさに依存し、本実施例では回折角を０．８６°とした。空間光変調器から入射した波長λ１の光束は、対物レンズを透過した後平行光束となり、参照光との干渉縞をホログラム記録媒体ＯＤに記録する。
【０１２６】
一方、トラッキング、フォーカシング用の波長λ２の光束は、ダイクロイックミラーで光路を波長λ１の光束に合わせた後、絞りＳＴＯで光束が制限された後、対物レンズで集光された光束は、ホログラム記録層を透過し、サーボ用ピットの記録されている層に合焦するようになっている。
【０１２７】
表１５において、（ａ）はレンズデータ、（ｂ）は非球面データ、（ｃ）は絞りＳＴＯの位置で１０分割した像高での第１光学系を通過した波長λ１の光束における波面収差データ、（ｄ）は第２光学系を通過した波長λ２の光束における波面収差データである。波長λ１の光束を対物レンズに通過させる際、最大物体高は−０．６１ｍｍ、物体側ＮＡは０．０１５、焦点距離は１ｍｍである。一方、波長λ２の光束を対物レンズに通過させる際、絞り径はφ１．２３ｍｍ、像側ＮＡは０．６である。本実施例において、Ｐ２／Ｐｔ＝−０．６６２であり、｜νｐ−νｎ｜＝３１．６５である。
【０１２８】
【表１５】
2008077693.tif 000018
【０１２９】
各面の円錐定数κ、非球面係数Ａ２ｉを示す表１５の非球面データから明らかであるが、実施例１５では第６面及び第７面のみが非球面となっている。
【０１３０】
（実施例１６）
図４７，４８は、図１の光ピックアップ装置で用いることのできる対物レンズの実施例１６にかかる断面図であり、図４７は情報記録／再生時の青紫色レーザ光（波長λ１）の光路を示し、図４８はフォーカシング、トラッキング用の赤色レーザ光（波長λ２）の光路を示す。又、図４９は、本実施例におけるホログラム再生時の受光素子上での歪曲収差（ａ）と、像面歪曲（ｂ）を示す図である。図４７，４８において、対物レンズは、光源側から正の第１レンズ群ＬＧ１，負の第２レンズ群ＬＧ２，正の第３レンズ群ＬＧ３を有しており、最も光源側の第１レンズ群ＬＧ１の光源側光学面が光源側に凸である。
【０１３１】
図４７において、絞りＳＴＯの位置に空間光変調器を配置するか、あるいはこの位置に空間光変調器の像が出来る様にリレーレンズを配置する。空間光変調器のセルで回折される光束の回折角はセルの大きさに依存し、本実施例では回折角を０．８６°とした。空間光変調器から入射した波長λ１の光束は、対物レンズを透過した後平行光束となり、参照光との干渉縞をホログラム記録媒体ＯＤに記録する。
【０１３２】
一方、トラッキング、フォーカシング用の波長λ２の光束は、ダイクロイックミラーで光路を波長λ１の光束に合わせた後、絞りＳＴＯで光束が制限された後、対物レンズで集光された光束は、ホログラム記録層を透過し、サーボ用ピットの記録されている層に合焦するようになっている。
【０１３３】
表１６において、（ａ）はレンズデータ、（ｂ）は非球面データ、（ｃ）は絞りＳＴＯの位置で１０分割した像高での第１光学系を通過した波長λ１の光束における波面収差データ、（ｄ）は第２光学系を通過した波長λ２の光束における波面収差データである。波長λ１の光束を対物レンズに通過させる際、最大物体高は−０．６１ｍｍ、物体側ＮＡは０．０１５、焦点距離は１ｍｍである。一方、波長λ２の光束を対物レンズに通過させる際、絞り径はφ１．２３ｍｍ、像側ＮＡは０．６である。本実施例において、Ｐ２／Ｐｔ＝−１．３８７であり、｜νｐ−νｎ｜＝３１．１５である。
【０１３４】
【表１６】
2008077693.tif 000019
【０１３５】
各面の円錐定数κ、非球面係数Ａ２ｉを示す表１６の非球面データから明らかであるが、実施例１６では第２面、第３面、第６面及び第７面のみが非球面となっている。
【０１３６】
（実施例１７）
図５０，５１は、図１の光ピックアップ装置で用いることのできる対物レンズの実施例１７にかかる断面図であり、図５０は情報記録／再生時の青紫色レーザ光（波長λ１）の光路を示し、図５１はフォーカシング、トラッキング用の赤色レーザ光（波長λ２）の光路を示す。又、図５２は、本実施例におけるホログラム再生時の受光素子上での歪曲収差（ａ）と、像面歪曲（ｂ）を示す図である。図５０，５１において、対物レンズは、光源側から正の第１レンズ群ＬＧ１，負の第２レンズ群ＬＧ２，正の第３レンズ群ＬＧ３を有しており、最も光源側の第１レンズ群ＬＧ１の光源側光学面が光源側に凸である。
【０１３７】
図５０において、絞りＳＴＯの位置に空間光変調器を配置するか、あるいはこの位置に空間光変調器の像が出来る様にリレーレンズを配置する。空間光変調器のセルで回折される光束の回折角はセルの大きさに依存し、本実施例では回折角を０．８６°とした。空間光変調器から入射した波長λ１の光束は、対物レンズを透過した後平行光束となり、参照光との干渉縞をホログラム記録媒体ＯＤに記録する。
【０１３８】
一方、トラッキング、フォーカシング用の波長λ２の光束は、ダイクロイックミラーで光路を波長λ１の光束に合わせた後、絞りＳＴＯで光束が制限された後、対物レンズで集光された光束は、ホログラム記録層を透過し、サーボ用ピットの記録されている層に合焦するようになっている。
【０１３９】
表１７において、（ａ）はレンズデータ、（ｂ）は非球面データ、（ｃ）は絞りＳＴＯの位置で１０分割した像高での第１光学系を通過した波長λ１の光束における波面収差データ、（ｄ）は第２光学系を通過した波長λ２の光束における波面収差データである。波長λ１の光束を対物レンズに通過させる際、最大物体高は−０．６１ｍｍ、物体側ＮＡは０．０１５、焦点距離は１ｍｍである。一方、波長λ２の光束を対物レンズに通過させる際、絞り径はφ１．２３ｍｍ、像側ＮＡは０．６である。本実施例において、Ｐ２／Ｐｔ＝−０．８７３であり、｜νｐ−νｎ｜＝３１．６５である。
【０１４０】
【表１７】
2008077693.tif 000020
【０１４１】
各面の円錐定数κ、非球面係数Ａ２ｉを示す表１７の非球面データから明らかであるが、実施例１７では第６面及び第７面のみが非球面となっている。
【０１４２】
（実施例１８）
図５３，５４は、図１の光ピックアップ装置で用いることのできる対物レンズの実施例１８にかかる断面図であり、図５３は情報記録／再生時の青紫色レーザ光（波長λ１）の光路を示し、図５４はフォーカシング、トラッキング用の赤色レーザ光（波長λ２）の光路を示す。又、図５５は、本実施例におけるホログラム再生時の受光素子上での歪曲収差（ａ）と、像面歪曲（ｂ）を示す図である。図５３，５４において、対物レンズは、光源側から正の第１レンズ群ＬＧ１，負の第２レンズ群ＬＧ２，正の第３レンズ群ＬＧ３を有しており、最も光源側の第１レンズ群ＬＧ１の光源側光学面が光源側に凸である。
【０１４３】
図５３において、絞りＳＴＯの位置に空間光変調器を配置するか、あるいはこの位置に空間光変調器の像が出来る様にリレーレンズを配置する。空間光変調器のセルで回折される光束の回折角はセルの大きさに依存し、本実施例では回折角を０．８６°とした。空間光変調器から入射した波長λ１の光束は、対物レンズを透過した後平行光束となり、参照光との干渉縞をホログラム記録媒体ＯＤに記録する。
【０１４４】
一方、トラッキング、フォーカシング用の波長λ２の光束は、ダイクロイックミラーで光路を波長λ１の光束に合わせた後、絞りＳＴＯで光束が制限された後、対物レンズで集光された光束は、ホログラム記録層を透過し、サーボ用ピットの記録されている層に合焦するようになっている。
【０１４５】
表１８において、（ａ）はレンズデータ、（ｂ）は非球面データ、（ｃ）は絞りＳＴＯの位置で１０分割した像高での第１光学系を通過した波長λ１の光束における波面収差データ、（ｄ）は第２光学系を通過した波長λ２の光束における波面収差データである。波長λ１の光束を対物レンズに通過させる際、最大物体高は−０．６１ｍｍ、物体側ＮＡは０．０１５、焦点距離は１ｍｍである。一方、波長λ２の光束を対物レンズに通過させる際、絞り径はφ１．２３ｍｍ、像側ＮＡは０．６である。本実施例において、Ｐ２／Ｐｔ＝−０．８７１であり、｜νｐ−νｎ｜＝３１．６５である。
【０１４６】
【表１８】
2008077693.tif 000021
【０１４７】
各面の円錐定数κ、非球面係数Ａ２ｉを示す表１８の非球面データから明らかであるが、実施例１８では第２面〜第７面全てが非球面となっている。
【０１４８】
（実施例１９）
図５６，５７は、図１の光ピックアップ装置で用いることのできる対物レンズの実施例１９にかかる断面図であり、図５６は情報記録／再生時の青紫色レーザ光（波長λ１）の光路を示し、図５７はフォーカシング、トラッキング用の赤色レーザ光（波長λ２）の光路を示す。又、図５８は、本実施例におけるホログラム再生時の受光素子上での歪曲収差（ａ）と、像面歪曲（ｂ）を示す図である。図５６，５７において、対物レンズは、光源側から正の第１レンズ群ＬＧ１，負の第２レンズ群ＬＧ２，正の第３レンズ群ＬＧ３を有しており、最も光源側の第１レンズ群ＬＧ１の光源側光学面が光源側に凸である。
【０１４９】
図５６において、絞りＳＴＯの位置に空間光変調器を配置するか、あるいはこの位置に空間光変調器の像が出来る様にリレーレンズを配置する。空間光変調器のセルで回折される光束の回折角はセルの大きさに依存し、本実施例では回折角を０．８６°とした。空間光変調器から入射した波長λ１の光束は、対物レンズを透過した後平行光束となり、参照光との干渉縞をホログラム記録媒体ＯＤに記録する。
【０１５０】
一方、トラッキング、フォーカシング用の波長λ２の光束は、ダイクロイックミラーで光路を波長λ１の光束に合わせた後、絞りＳＴＯで光束が制限された後、対物レンズで集光された光束は、ホログラム記録層を透過し、サーボ用ピットの記録されている層に合焦するようになっている。
【０１５１】
表１９において、（ａ）はレンズデータ、（ｂ）は非球面データ、（ｃ）は絞りＳＴＯの位置で１０分割した像高での第１光学系を通過した波長λ１の光束における波面収差データ、（ｄ）は第２光学系を通過した波長λ２の光束における波面収差データである。波長λ１の光束を対物レンズに通過させる際、最大物体高は−０．６１ｍｍ、物体側ＮＡは０．０１５、焦点距離は１ｍｍである。一方、波長λ２の光束を対物レンズに通過させる際、絞り径はφ１．２３ｍｍ、像側ＮＡは０．６である。本実施例において、Ｐ２／Ｐｔ＝−０．８１６であり、｜νｐ−νｎ｜＝３１．６５である。
【０１５２】
【表１９】
2008077693.tif 000022
【０１５３】
各面の円錐定数κ、非球面係数Ａ２ｉを示す表１９の非球面データから明らかであるが、実施例１９では第６面及び第７面のみが非球面となっている。
【０１５４】
各実施例について、式（１）、式（２）に対応する値を表２０にまとめて示す。
【０１５５】
【表２０】
2008077693.tif 000023
【図面の簡単な説明】
【０１５６】
【図１】本発明の一実施形態に係る光ピックアップ装置の概略構成図である。
【図２】図１の光ピックアップ装置で用いることのできる対物レンズの実施例１にかかる断面図である。
【図３】図１の光ピックアップ装置で用いることのできる対物レンズの実施例１にかかる断面図である。
【図４】実施例１におけるホログラム再生時の受光素子上での歪曲収差（ａ）と、像面歪曲（ｂ）を示す図である。
【図５】図１の光ピックアップ装置で用いることのできる対物レンズの実施例２にかかる断面図である。
【図６】図１の光ピックアップ装置で用いることのできる対物レンズの実施例２にかかる断面図である。
【図７】実施例２におけるホログラム再生時の受光素子上での歪曲収差（ａ）と、像面歪曲（ｂ）を示す図である。
【図８】図１の光ピックアップ装置で用いることのできる対物レンズの実施例３にかかる断面図である。
【図９】図１の光ピックアップ装置で用いることのできる対物レンズの実施例３にかかる断面図である。
【図１０】実施例３におけるホログラム再生時の受光素子上での歪曲収差（ａ）と、像面歪曲（ｂ）を示す図である。
【図１１】図１の光ピックアップ装置で用いることのできる対物レンズの実施例４にかかる断面図である。
【図１２】図１の光ピックアップ装置で用いることのできる対物レンズの実施例４にかかる断面図である。
【図１３】実施例４におけるホログラム再生時の受光素子上での歪曲収差（ａ）と、像面歪曲（ｂ）を示す図である。
【図１４】図１の光ピックアップ装置で用いることのできる対物レンズの実施例５にかかる断面図である。
【図１５】図１の光ピックアップ装置で用いることのできる対物レンズの実施例５にかかる断面図である。
【図１６】実施例５におけるホログラム再生時の受光素子上での歪曲収差（ａ）と、像面歪曲（ｂ）を示す図である。
【図１７】図１の光ピックアップ装置で用いることのできる対物レンズの実施例６にかかる断面図である。
【図１８】図１の光ピックアップ装置で用いることのできる対物レンズの実施例６にかかる断面図である。
【図１９】実施例６におけるホログラム再生時の受光素子上での歪曲収差（ａ）と、像面歪曲（ｂ）を示す図である。
【図２０】図１の光ピックアップ装置で用いることのできる対物レンズの実施例７にかかる断面図である。
【図２１】図１の光ピックアップ装置で用いることのできる対物レンズの実施例７にかかる断面図である。
【図２２】実施例７におけるホログラム再生時の受光素子上での歪曲収差（ａ）と、像面歪曲（ｂ）を示す図である。
【図２３】図１の光ピックアップ装置で用いることのできる対物レンズの実施例８にかかる断面図である。
【図２４】図１の光ピックアップ装置で用いることのできる対物レンズの実施例８にかかる断面図である。
【図２５】実施例８におけるホログラム再生時の受光素子上での歪曲収差（ａ）と、像面歪曲（ｂ）を示す図である。
【図２６】図１の光ピックアップ装置で用いることのできる対物レンズの実施例９にかかる断面図である。
【図２７】図１の光ピックアップ装置で用いることのできる対物レンズの実施例９にかかる断面図である。
【図２８】実施例９におけるホログラム再生時の受光素子上での歪曲収差（ａ）と、像面歪曲（ｂ）を示す図である。
【図２９】図１の光ピックアップ装置で用いることのできる対物レンズの実施例１０にかかる断面図である。
【図３０】図１の光ピックアップ装置で用いることのできる対物レンズの実施例１０にかかる断面図である。
【図３１】実施例１０におけるホログラム再生時の受光素子上での歪曲収差（ａ）と、像面歪曲（ｂ）を示す図である。
【図３２】図１の光ピックアップ装置で用いることのできる対物レンズの実施例１１にかかる断面図である。
【図３３】図１の光ピックアップ装置で用いることのできる対物レンズの実施例１１にかかる断面図である。
【図３４】実施例１１におけるホログラム再生時の受光素子上での歪曲収差（ａ）と、像面歪曲（ｂ）を示す図である。
【図３５】図１の光ピックアップ装置で用いることのできる対物レンズの実施例１２にかかる断面図である。
【図３６】図１の光ピックアップ装置で用いることのできる対物レンズの実施例１２にかかる断面図である。
【図３７】実施例１２におけるホログラム再生時の受光素子上での歪曲収差（ａ）と、像面歪曲（ｂ）を示す図である。
【図３８】図１の光ピックアップ装置で用いることのできる対物レンズの実施例１３にかかる断面図である。
【図３９】図１の光ピックアップ装置で用いることのできる対物レンズの実施例１３にかかる断面図である。
【図４０】実施例１３におけるホログラム再生時の受光素子上での歪曲収差（ａ）と、像面歪曲（ｂ）を示す図である。
【図４１】図１の光ピックアップ装置で用いることのできる対物レンズの実施例１４にかかる断面図である。
【図４２】図１の光ピックアップ装置で用いることのできる対物レンズの実施例１４にかかる断面図である。
【図４３】実施例１４におけるホログラム再生時の受光素子上での歪曲収差（ａ）と、像面歪曲（ｂ）を示す図である。
【図４４】図１の光ピックアップ装置で用いることのできる対物レンズの実施例１５にかかる断面図である。
【図４５】図１の光ピックアップ装置で用いることのできる対物レンズの実施例１５にかかる断面図である。
【図４６】実施例１５におけるホログラム再生時の受光素子上での歪曲収差（ａ）と、像面歪曲（ｂ）を示す図である。
【図４７】図１の光ピックアップ装置で用いることのできる対物レンズの実施例１６にかかる断面図である。
【図４８】図１の光ピックアップ装置で用いることのできる対物レンズの実施例１６にかかる断面図である。
【図４９】実施例１６におけるホログラム再生時の受光素子上での歪曲収差（ａ）と、像面歪曲（ｂ）を示す図である。
【図５０】図１の光ピックアップ装置で用いることのできる対物レンズの実施例１７にかかる断面図である。
【図５１】図１の光ピックアップ装置で用いることのできる対物レンズの実施例１７にかかる断面図である。
【図５２】実施例１７におけるホログラム再生時の受光素子上での歪曲収差（ａ）と、像面歪曲（ｂ）を示す図である。
【図５３】図１の光ピックアップ装置で用いることのできる対物レンズの実施例１８にかかる断面図である。
【図５４】図１の光ピックアップ装置で用いることのできる対物レンズの実施例１８にかかる断面図である。
【図５５】実施例１８におけるホログラム再生時の受光素子上での歪曲収差（ａ）と、像面歪曲（ｂ）を示す図である。
【図５６】図１の光ピックアップ装置で用いることのできる対物レンズの実施例１９にかかる断面図である。
【図５７】図１の光ピックアップ装置で用いることのできる対物レンズの実施例１９にかかる断面図である。
【図５８】実施例１９におけるホログラム再生時の受光素子上での歪曲収差（ａ）と、像面歪曲（ｂ）を示す図である。
【符号の説明】
【０１５７】
１０  対物レンズ
３１  第１レーザ光源
３２  第２レーザ光源
４１  第１光検出器
４２  第２光検出器
５３  空間光変調器
５５  可動ミラー
７１  ダイクロイックミラー
７９  シリンドリカルレンズ
１００  光ピックアップ装置
ＬＧ１  第１レンズ群
ＬＧ２  第２レンズ群
ＬＧ３第３レンズ群
ＬＴ１  第１波長光
ＬＴ２  第２波長光
ＳＴＯ  絞り
ＯＤ  光ディスク
ＲＥＬ  情報記録層
ＩＬ  情報光
ＯＬ  物体光
ＲＬ  参照光
ＳＬ  サーボ光
ＴＩＬ  トラッキング情報面
【図１】
2008077693.tif 000024
【図２】
2008077693.tif 000025
【図３】
2008077693.tif 000026
【図４】
2008077693.tif 000027
【図５】
2008077693.tif 000028
【図６】
2008077693.tif 000029
【図７】
2008077693.tif 000030
【図８】
2008077693.tif 000031
【図９】
2008077693.tif 000032
【図１０】
2008077693.tif 000033
【図１１】
2008077693.tif 000034
【図１２】
2008077693.tif 000035
【図１３】
2008077693.tif 000036
【図１４】
2008077693.tif 000037
【図１５】
2008077693.tif 000038
【図１６】
2008077693.tif 000039
【図１７】
2008077693.tif 000040
【図１８】
2008077693.tif 000041
【図１９】
2008077693.tif 000042
【図２０】
2008077693.tif 000043
【図２１】
2008077693.tif 000044
【図２２】
2008077693.tif 000045
【図２３】
2008077693.tif 000046
【図２４】
2008077693.tif 000047
【図２５】
2008077693.tif 000048
【図２６】
2008077693.tif 000049
【図２７】
2008077693.tif 000050
【図２８】
2008077693.tif 000051
【図２９】
2008077693.tif 000052
【図３０】
2008077693.tif 000053
【図３１】
2008077693.tif 000054
【図３２】
2008077693.tif 000055
【図３３】
2008077693.tif 000056
【図３４】
2008077693.tif 000057
【図３５】
2008077693.tif 000058
【図３６】
2008077693.tif 000059
【図３７】
2008077693.tif 000060
【図３８】
2008077693.tif 000061
【図３９】
2008077693.tif 000062
【図４０】
2008077693.tif 000063
【図４１】
2008077693.tif 000064
【図４２】
2008077693.tif 000065
【図４３】
2008077693.tif 000066
【図４４】
2008077693.tif 000067
【図４５】
2008077693.tif 000068
【図４６】
2008077693.tif 000069
【図４７】
2008077693.tif 000070
【図４８】
2008077693.tif 000071
【図４９】
2008077693.tif 000072
【図５０】
2008077693.tif 000073
【図５１】
2008077693.tif 000074
【図５２】
2008077693.tif 000075
【図５３】
2008077693.tif 000076
【図５４】
2008077693.tif 000077
【図５５】
2008077693.tif 000078
【図５６】
2008077693.tif 000079
【図５７】
2008077693.tif 000080
【図５８】
2008077693.tif 000081